(57)【要約】【課題】  電子部品の入力端子に入力される入力電圧を制限しながらも、部品点数を少なく、簡易な回路とした入力回路付き電子部品回路を提供する。【解決手段】  入力回路付き電子部品回路10は、入力端子INA等を有する電子部品2と、入力回路4A等と、入力電圧制限回路9とを備える。入力電圧制限回路9は、定電圧ノード5を所定の定電圧Ｖｃとする定電圧回路3、定電圧ノード5と入力回路4Aとの間に介在し、アノード6Aaを入力回路4Aに、カソード6Acを定電圧ノード5にそれぞれ接続した複数のダイオード6A,6B,6Cを含み、ダイオード6A,6B,6Cの順方向電圧降下をＶｆとしたとき、定電圧ノード5における定電圧Ｖｃを、最大許容電圧Ｖｍａｘから順方向電圧降下Ｖｆを差し引いた値より小さくしてなる（Ｖｃ＜Ｖｍａｘ−Ｖｆ）。【選択図】  図２
2009117946.tif 000002
【特許請求の範囲】
【請求項１】
複数の部品入力端子を有する１または複数の電子部品と、
それぞれ回路入力端を有し、各々の上記部品入力端子に接続され、上記回路入力端に入力された信号を、入力信号として上記部品入力端子にそれぞれ入力する複数の入力回路と、
各々の上記部品入力端子に入力される上記入力信号の入力電圧Ｖｉを、それぞれ、上記部品入力端子に入力しうる最大入力電圧Ｖｍａｘ以下に規制する入力電圧制限回路であって、
定電圧ノードを所定の定電圧Ｖｃとする定電圧回路、
上記定電圧ノードと複数の上記入力回路との間に介在し、アノードを上記入力回路に、カソードを上記定電圧ノードにそれぞれ接続した複数のダイオード、を含み、
上記ダイオードの順方向電圧降下をＶｆとしたとき、
上記定電圧ノードにおける上記定電圧Ｖｃを、上記最大許容電圧Ｖｍａｘから上記順方向電圧降下Ｖｆを差し引いた値より小さくしてなる（Ｖｃ＜Ｖｍａｘ−Ｖｆ）
入力電圧制限回路と、を備える
入力回路付き電子部品回路。
【請求項２】
請求項１に記載の入力回路付き電子部品回路であって、
前記定電圧ノードの電圧を検査する検査端子を備える
入力回路付き電子部品回路。
【請求項３】
請求項１または請求項２に記載の入力回路付き電子部品回路であって、
複数の前記入力回路のうちの少なくともいずれかは、
前記入力電圧制限回路に接続する前記ダイオードのアノードよりも前記回路入力端側で、前記最大入力電圧Ｖｍａｘよりも高いプルアップ電圧を有するプルアップ電源ラインに、抵抗を介して接続してなる
入力回路付き電子部品回路。
【請求項４】
請求項１〜請求項３のいずれか１項に記載の入力回路付き電子部品回路であって、
前記電子部品の少なくともいずれかは、前記最大入力電圧Ｖｍａｘに等しい駆動電圧Ｖｄで駆動されるマイクロコンピュータであり、
前記定電圧回路は、上記駆動電圧Ｖｄを利用して、前記定電圧Ｖｃを生成してなる
入力回路付き電子部品回路。
【発明の詳細な説明】
【技術分野】
【０００１】
本発明は、電子部品の入力端子に入力信号を伝える入力回路を備えた、入力回路付き電子部品回路に関する。
【背景技術】
【０００２】
電子部品の入力端子における最大入力電圧Ｖｍａｘは、例えば、ＣＰＵなどの電子部品では、これを駆動する電源電圧（例えば、５Ｖ）に等しい値となることが多い。
一方、ノイズなどによって、この入力端子に入力される入力信号の大きさが、この最大入力電圧Ｖｍａｘを超えることを防止すべく、この入力信号をこの部品入力端子に伝える入力回路に、入力電圧制限回路を付設することが行われる。この入力電圧制限回路としては、入力回路と電源電圧との間に、電源電圧側をカソードとするダイオードを介在させるものが知られている。
【発明の開示】
【発明が解決しようとする課題】
【０００３】
さらに、このダイオードのアノードよりも電子部品の入力端子側に、２つの抵抗を用いた分圧回路をも設けるものも考えられる。なお、このように、分圧回路を設けるのは、ダイオードを用いただけでは、入力端子に入力される入力電圧が、最大で、電源電圧＋ダイオードの順方向電圧降下Ｖｆ（例えば、５＋Ｖｆ）の大きさとなり、最大入力電圧Ｖｍａｘ（＝電源電圧）を超える。そこで、さらに分圧回路を用いて、部品入力端子に入力される入力電圧を小さくする（最大入力電圧Ｖｍａｘ（＝電源電圧）以下とする）ためである。
【０００４】
しかしながら、このようにすると、複数の部品入力端子を有する場合には、各々の部品入力端子について、ダイオードのほかに、それぞれ分圧回路（２つの抵抗素子）が必要となり、コストアップとなる。また回路が複雑となる。
本発明は、かかる問題点に鑑みてなされたものであって、電子部品の入力端子に入力される入力電圧を制限しながらも、部品点数を少なく、簡易な回路とした入力回路付き電子部品回路を提供する。
【課題を解決するための手段】
【０００５】
その解決手段は、複数の部品入力端子を有する１または複数の電子部品と、それぞれ回路入力端を有し、各々の上記部品入力端子に接続され、上記回路入力端に入力された信号を、入力信号として上記部品入力端子にそれぞれ入力する複数の入力回路と、各々の上記部品入力端子に入力される上記入力信号の入力電圧Ｖｉを、それぞれ、上記部品入力端子に入力しうる最大入力電圧Ｖｍａｘ以下に規制する入力電圧制限回路であって、定電圧ノードを所定の定電圧Ｖｃとする定電圧回路、上記定電圧ノードと複数の上記入力回路との間に介在し、アノードを上記入力回路に、カソードを上記定電圧ノードにそれぞれ接続した複数のダイオード、を含み、上記ダイオードの順方向電圧降下をＶｆとしたとき、上記定電圧ノードにおける上記定電圧Ｖｃを、上記最大許容電圧Ｖｍａｘから上記順方向電圧降下Ｖｆを差し引いた値より小さくしてなる（Ｖｃ＜Ｖｍａｘ−Ｖｆ）入力電圧制限回路と、を備える入力回路付き電子部品回路である。
【０００６】
本発明の入力回路付き電子部品回路では、入力電圧制限回路に、ダイオードをのほか、発生する定電圧Ｖｃが、最大許容電圧Ｖｍａｘから順方向電圧降下Ｖｆを差し引いた値より小さい定電圧回路を含む。
従って、本発明の入力回路付き電子部品回路では、前述のように、各入力回路に分圧回路を更に設けることなく、電子部品の各部品入力端子に入力される入力信号の大きさを、最大入力電圧Ｖｍａｘ以下に規制することができ、安価で、より簡単な回路構成とすることができる。
【０００７】
なお、定電圧回路としては、入力回路付き電子部品回路内に、定電圧を生成する定電圧源を設けて定電圧回路を構成したものでも良いし、外部の定電圧源に接続して定電圧回路としても良い。
【０００８】
また、上述の入力回路付き電子部品回路であって、前記定電圧ノードの電圧を検査する検査端子を備える入力回路付き電子部品回路とすると良い。
【０００９】
本発明の入力回路付き電子部品回路では、定電圧ノードの電圧を検査する検査端子を備える。この検査端子によって、定電圧ノードの電圧が、所定の定電圧Ｖｃとなっているか否かを、容易に検査できる。また、本発明の入力回路付き電子部品回路の製造途中段階、あるいは完成検査段階においては、定電圧源など定電圧回路を構成する部材が正しく搭載され接続されているかを、容易に検査することができる。
【００１０】
なお、前述した従来の回路、即ち、ダイオードと分圧回路とを個々の入力回路に備える回路では、分圧回路を構成する部材（２つの抵抗素子）が正しく接続されているか（正しい抵抗値の抵抗素子が接続されているか等）を確認可能とするには、それぞれの入力回路について検査パッドを設ける必要があった。つまり、検査パッドを、入力回路の数だけ設け、各々について検査する必要があった。
これと比較すると、本発明の入力回路付き電子部品回路では、多数の検査パッドを設けこれらをについて検査する必要はなく、１つの定電圧ノード（定電圧回路）の電圧について、検査端子で検査すれば足りる利点もある。
【００１１】
さらに上述のいずれかに記載の入力回路付き電子部品回路であって、複数の前記入力回路のうちの少なくともいずれかは、前記入力電圧制限回路に接続する前記ダイオードのアノードよりも前記回路入力端側で、前記最大入力電圧Ｖｍａｘよりも高いプルアップ電圧を有するプルアップ電源ラインに、抵抗を介して接続してなる入力回路付き電子部品回路とすると良い。
【００１２】
車載用の電子部品回路などにおけるバッテリ電源など、最大入力電圧Ｖｍａｘよりも高いプルアップ電圧を有するプルアップ電源回路に、抵抗を介して入力回路が接続している回路構成を採用するときがある。この場合には、この入力回路が接続する部品入力端子には、最大入力電圧Ｖｍａｘを超える電圧が印加される虞がある。
しかし、本発明の入力回路付き電子部品回路のように入力電圧制限回路を設けることで、上述のように入力回路がプルアップ電源回路に接続している場合でも、部品入力端子へ入力される電圧を、確実に、最大入力電圧Ｖｍａｘ以下に規制して、電子部品を保護することができる。
【００１３】
更に上述のいずれか１項に記載の入力回路付き電子部品回路であって、前記電子部品の少なくともいずれかは、前記最大入力電圧Ｖｍａｘに等しい駆動電圧Ｖｄで駆動されるマイクロコンピュータであり、前記定電圧回路は、上記駆動電圧Ｖｄを利用して、前記定電圧Ｖｃを生成してなる入力回路付き電子部品回路とすると良い。
【００１４】
駆動電圧Ｖｄで駆動されるマイクロコンピュータでは、その部品入力端子の最大入力電圧Ｖｍａｘが、駆動電圧Ｖｄに等しい場合が多い。
本発明の入力回路付き電子部品回路では、定電圧回路は、マイクロコンピュータの駆動電圧Ｖｄを利用し、その駆動電圧Ｖｄから定電圧Ｖｃを生成している。従って、本発明の入力回路付き電子部品回路において、マイクロコンピュータ及び入力電圧制限回路を動作させるにあたり、この駆動電圧Ｖｄを供給する駆動電源とは別に、定電圧Ｖｃを発生する定電圧源を用意したり、別途の定電圧回路からの配線を引き回す必要がなく、より簡単にこの回路を駆動することができる。
【００１５】
なお、駆動電圧Ｖｄを利用して定電圧Ｖｃを生成する定電圧回路としては、駆動電圧Ｖｄを抵抗分割する分圧回路、駆動電圧Ｖｄを抵抗とツェナーダイオードとで分割する回路が挙げられる。さらに、駆動電圧Ｖｄを抵抗とツェナーダイオードとで分割し、分割電圧をＮＰＮトランジスタのベース端子に入力すると共に、コレクタを駆動電圧Ｖｄに接続して、定電圧のエミッタ出力を得る定電圧回路などが挙げられる。
【発明を実施するための最良の形態】
【００１６】
（参考形態）
先ず参考形態に係る入力回路付き電子部品回路について説明する（図５参照）。
電子回路（入力回路付き電子部品回路）ＥＣは、回路基板ＢＤ上に配置された、マイクロコンピュータＥＰ、ダイオードＤ１，抵抗Ｒ２〜Ｒ５、コンデンサＣ１、および、これらを接続する回路配線から構成されてなる。
マイクロコンピュータＥＰは、複数の入力端子ＩＮＡ，ＩＮＢ，ＩＮＣ…を有しており、たとえば、そのうちの入力端子ＩＮＡ，ＩＮＢ，ＩＮＣに接続する入力回路ＩＰＡ，ＩＰＢ，ＩＰＣは、いずれも図５に示す回路構成を有している。
【００１７】
このうち入力回路ＩＰＡは、回路入力端ＩＴＡに入力された入力信号を、入力端子ＩＮＡに伝えるものである。この入力回路ＩＰＡには、バッテリ電圧ＶＢに接続するプルアップ用の抵抗Ｒ２が接続している。また、それより入力端子ＩＮＡ側には、抵抗Ｒ３とコンデンサＣ１とから構成されるローパスフィルタ型のノイズフィルタＦＬが介在している。
なお、入力回路ＩＰＣも同じ回路構成を有している。また、入力回路ＩＰＢは、バッテリ電圧ＶＢに接続するプルアップ用の抵抗Ｒ２が接続していない点を除き、入力回路ＩＰＡ，ＩＰＣと同様である。
【００１８】
ところで、マイクロコンピュータＥＰは、一定の駆動電圧Ｖｄ（例えば５Ｖ）で駆動されている。このため、マイクロコンピュータＥＰの入力端子ＩＮＡ，ＩＮＢ，ＩＮＣ…の許容される最大入力電圧Ｖｍａｘは、駆動電圧Ｖｄ（例えば５Ｖ）に等しくなっている。
【００１９】
そこで、本参考形態の電子回路ＥＣでは、例えば、入力回路ＩＰＡにおいて、入力端子ＩＮＡに入力される入力電圧Ｖｉ１が、最大入力電圧Ｖｍａｘ（＝Ｖｄ）を超えないようにすべく、ノイズフィルタＦＬの抵抗Ｒ３よりも入力端子ＩＮＡ側において、入力回路ＩＰＡをダイオードＤ１を介して駆動電圧Ｖｄに接続している。具体的には、ダイオードＤ１のアノードＤ１ａを入力回路ＩＰＡに、カソードＤ１ｃを駆動電圧Ｖｄに接続している。
これにより、回路入力端ＩＴ１に大きな電圧が印加されても、入力回路ＩＰのうち、ダイオードＤ１のアノードＤ１ａの部分は、最大でも、駆動電圧ＶｄよりもダイオードＤ１の順方向電圧降下Ｖｆ分だけ高い電圧値に制限される。
ただし、これだけでは、入力電圧Ｖｉ１が、最大入力電圧Ｖｍａｘ（＝Ｖｄ）を超える可能性がある。そこでさらに、抵抗Ｒ４と抵抗Ｒ５とで構成される抵抗分圧回路ＤＶを用いて、入力される信号の大きさを適宜の抵抗分割により低減させることで、入力端子ＩＮＡに入力される入力電圧Ｖｉが、最大入力電圧Ｖｍａｘ（＝Ｖｄ）を超えないようにする。
入力回路ＩＰＢ，ＩＰＣについても同様である。
【００２０】
しかしながら、この参考形態の回路構成では、各々の入力端子ＩＮＡ等について、入力電圧を制限すべく、ダイオードＤ１のほかに、抵抗分割回路ＤＶ（抵抗Ｒ４，Ｒ５）をも必要とする。このため、部品点数が増え、回路も複雑となる。
【００２１】
また、この参考形態に示す入力回路ＩＰＡ等の回路構成では、スイッチＳＷ１および抵抗Ｒ１を用いて、ステップ状の信号を入力し、回路入力端ＩＴ１に現れる電圧をモニタすることにより、抵抗Ｒ２，Ｒ３およびコンデンサＣ１として、正しい特性の部品が使われ、正しく接続されているかを、判断することができる。
しかしながら、抵抗分圧回路ＤＶを構成する抵抗Ｒ４，Ｒ５については、回路入力端ＩＴ１に現れる電圧をモニタすることでは、正しい特性の部品が使われ、正しく接続されているかを、判断することができない。
そこで、抵抗Ｒ４と抵抗Ｒ５の間に、検査パッドＣＨＰを設け、この検査パッドＣＨＰでの電圧を併せて検知することで、抵抗Ｒ４，Ｒ５に適否を判断することをせざるを得ない。このようにすると、検査パッドＣＨＰを設ける必要がある上、検査も複雑になる。
【００２２】
（実施形態）
そこで、本発明では、以下のようにしている。先ず本発明の原理を説明した後（図１参照）、本実施形態について説明する（図２参照）。
電子回路（入力回路付き電子部品回路）１０は、回路基板１上に配置された、マイクロコンピュータ２、入力電圧制限回路９を構成する定電圧回路３およびダイオード６Ａ，６Ｂ，６Ｃ、のほか、入力回路４Ａ，４Ｂ，４Ｃなど、これらの部品を接続する回路配線から構成されてなる。
マイクロコンピュータ２は、複数の入力端子ＩＮＡ，ＩＮＢ，ＩＮＣ…を有しており、たとえば、そのうちの入力端子ＩＮＡ，ＩＮＢ，ＩＮＣは、各々入力回路４Ａ，４Ｂ，４Ｃに接続している。なお、入力端子ＩＮＡ，ＩＮＢ，ＩＮＣ等の最大入力電圧をＶｍａｘとする。
【００２３】
また、入力電圧制限回路９のうち、定電圧回路３は、所定のノード電圧Ｖｃを生成する。このため、これに接続する定電圧ノード５は、このノード電圧Ｖｃとされる。さらに、入力電圧制限回路９のうち、ダイオード６Ａ，６Ｂ，６Ｃは、それぞれ、各々の入力回路４Ａ，４Ｂ，４Ｃと、定電圧ノード５との間に介在している。具体的には、ダイオード６Ａ，６Ｂ，６Ｃのアノード６Ａａ，６Ｂａ，６Ｃａをそれぞれ入力回路４Ａ，４Ｂ，４Ｃに、カソード６Ａｃ，６Ｂｃ，６Ｃｃを定電圧ノード５に接続している。
これにより、回路入力端ＩＴ１，ＩＴ２，ＩＴ３に大きな電圧が印加されても、入力端子ＩＮＡ，ＩＮＢ，ＩＮＣの入力電圧Ｖｉ１，Ｖｉ２，Ｖｉ３は、最大でも、定電圧ノードＶｃよりもダイオード６Ａ等の順方向電圧降下Ｖｆ分だけ高い電圧値に制限される。
【００２４】
そこでさらに、入力端子ＩＮＡ，ＩＮＢ，ＩＮＣ等の最大入力電圧Ｖｍａｘを考慮して、定電圧回路３で生成するノード電圧Ｖｃを、Ｖｃ＜Ｖｍａｘ−Ｖｆに設定する。このように設定すると、各入力端子ＩＮＡ，ＩＮＢ，ＩＮＣに入力される入力電圧Ｖｉ１，Ｖｉ２，Ｖｉ３が、いずれも最大入力電圧Ｖｍａｘを超えないようできる（Ｖｉ１，Ｖｉ２，Ｖｉ３＜Ｖｍａｘ）。
なお、前述した参考形態（図５参照）と対比すると容易に理解できるように、このようにすることで、各入力回路４Ａ，４Ｂ，４Ｃ毎に、参考形態で示したような抵抗分割回路ＤＶを設ける必要がないので、入力回路４Ａ等の回路構成を簡単にできる。
【００２５】
ついで、図２を参照して、実施形態について説明する。
なお、図２に示す本実施形態では、複数の入力端子ＩＮＡ，ＩＮＢ，ＩＮＣ等のうち、主として入力端子ＩＮＡに関する入力回路４Ａについて説明するが、入力回路４Ｃについても同様である。また、入力回路４Ｂは、バッテリ電圧ＶＢに接続するプルアップ用の抵抗７２が接続していない点を除き、入力回路４Ａ，４Ｃと同様である。
【００２６】
電子回路（入力回路付き電子部品回路）１０は、回路基板１上に配置された、マイクロコンピュータ２、入力電圧制限回路９を構成する定電圧回路３およびダイオード６Ａ，６Ｂ，６Ｃ、プルアップ電源回路７，７，７、ノイズフィルタ８，８，８、および、入力回路４Ａ，４Ｂ，４Ｃや定電圧ノード５など、これらを接続する回路配線から構成されてなる。
【００２７】
このうち、マイクロコンピュータ２は、複数の入力端子ＩＮＡ，ＩＮＢ，ＩＮＣ…を有しており、たとえば、そのうちの入力端子ＩＮＡは、入力回路４Ａに接続している。このマイクロコンピュータ２は、駆動電圧Ｖｄ（例えば５Ｖ）で駆動されている。このため、マイクロコンピュータ２の入力端子ＩＮＡ，ＩＮＢ，ＩＮＣ…に許容される最大入力電圧Ｖｍａｘは、駆動電圧Ｖｄ（例えば５Ｖ）に等しくなっている。
【００２８】
また、入力電圧制限回路９のうち、定電圧回路３は、所定のノード電圧Ｖｃを生成する。具体的には、定電圧回路３は、一定の駆動電圧Ｖｄを生成する被調整電源３１、およびこの駆動電圧Ｖｄを、これに直列に接続された２つの抵抗（第１分割抵抗３２および第２分割抵抗３３）で抵抗分割して、一定のノード電圧Ｖｃを生成する。このため、これに接続する定電圧ノード５は、このノード電圧Ｖｃとされる。なお、この定電圧ノード５は、後述する検査端子ＣＨに接続している。
【００２９】
一方、入力回路４Ａは、回路入力端ＩＴＡに入力された入力信号を、入力端子ＩＮＡに伝える回路である。この入力回路４Ａには、プルアップ電源回路７と、ノイズフィルタ８が形成されている。プルアップ電源回路７は、バッテリ（図示しない）のバッテリ電圧ＶＢとされたバッテリ電源ライン７１と、これに自身の一端が接続するプルアップ抵抗７２とからなり、このプルアップ抵抗７２の他端が入力回路４Ａに接続している。なお、バッテリ電圧ＶＢは、例えば１４Ｖ程度であり、駆動電圧Ｖｄ（例えば５Ｖ）、従って、マイクロコンピュータ２の入力端子ＩＮＡの最大入力電圧Ｖｍａｘよりも大きい。
また、このバッテリ電源ライン７１より入力端子ＩＮＡ側には、抵抗８１とコンデンサ８２とから構成されるローパスフィルタ型のノイズフィルタ８が介在している。このうち、抵抗８１は、回路入力端ＩＴＡと入力端子ＩＮＡとの間に直列に配置されている。一方、コンデンサ８２は、入力端子ＩＮＡとグランドＧＮＤとの間に配置されている。
【００３０】
さらに、入力回路４Ａ（入力端子ＩＮＡ）と定電圧ノード５との間には、入力電圧制限回路９を構成するダイオード６Ａが介在している。具体的には、ダイオード６Ａのアノード６Ａａを入力回路４Ａ（入力端子ＩＮＡ）に、カソード６Ａｃを定電圧ノード５に接続している。
これにより、回路入力端ＩＴ１に大きな電圧が印加されても、あるいは、プルアップ電源回路７が接続していても、入力回路４Ａから入力端子ＩＮＡに入力される入力電圧Ｖｉ１は、最大でも、定電圧ノードＶｃよりもダイオード６Ａの順方向電圧降下Ｖｆ分だけ高い電圧値に制限される。
【００３１】
さらに本実施形態では、入力端子ＩＮＡの最大入力電圧Ｖｍａｘを考慮して、定電圧回路３で生成するノード電圧Ｖｃを、Ｖｃ＜Ｖｍａｘ−Ｖｆ（＝Ｖｄ−Ｖｆ）に設定してある。これにより、回路入力端ＩＴ１に大きな電圧が印加されても、あるいは、プルアップ電源回路７が接続していても、入力端子ＩＮＡへの入力電圧Ｖｉ１は、最大でも、最大入力電圧Ｖｍａｘ（＝Ｖｄ）より小さくできる（Ｖｉ１＜Ｖｍａｘ）。従って、入力端子ＩＮＡに過大な電圧が加わることによって、マイクロコンピュータ２が故障するなどの不具合を防止することができる。
【００３２】
なお、図１を参照して、本発明の原理を説明したのと同様に、入力端子ＩＮＢ，ＩＮＣについても、ダイオード６Ｂ，６Ｃを用いて、それらのカソード６Ｂｃ，６Ｃｃを定電圧ノード５に接続し、それらのアノード６Ｂａ，６Ｃａを各入力回路４Ｂ，４Ｃ（入力端子ＩＮＢ，ＩＮＣ）に接続してある。このようにすることで、入力端子ＩＮＢ，ＩＮＣに入力される入力電圧Ｖｉ２，Ｖｉ３も、最大でも、最大入力電圧Ｖｍａｘ（＝Ｖｄ）より小さくできる。
しかも、前述した参考形態（図５参照）のように、各入力回路４Ａ，４Ｂ，４Ｃ毎に、抵抗分割回路ＤＶを設ける必要がないので、入力回路４Ａ等の回路構成を簡単にできる。
【００３３】
なお、本実施形態（図１参照）の入力回路（例えば、入力回路４Ａ）については、以下のようにしてチェックを行うことで、各部に正しい部品が正しく接続されているかどうか、また正しく動作しているかどうかを検査することができる。
先ず、この入力回路４Ａの回路入力端ＩＴ１に、スイッチＳＷ１を通じて、グランドＧＮＤに接続された検査抵抗Ｒ１を接続する。回路入力端ＩＴ１の電圧をモニタしつつ、スイッチＳＷ１を投入して、ステップ状の入力信号を回路入力端ＩＴ１に入力する。この場合の回路入力端ＩＴ１の電圧の時間変化から、抵抗７２，８１，コンデンサ８２，およびダイオード６Ａについて、正しい部品が正しく接続されているかどうか、また正しく動作しているかどうかを判断することができる。
【００３４】
但し、定電圧回路３の抵抗３２，３３については、上述の検査では、判断できない。
そこで、本実施形態では、前述したように、定電圧ノード５に接続する検査端子ＣＨを設けている。この検査端子ＣＨにおいて、定電圧ノード５の電圧が、所定の定電圧Ｖｃとなっているか否かを容易にチェックできる。また、抵抗３２，３３について、正しい部品が正しく搭載、接続されているかどうか、また正しく動作しているかどうかを検査することができる。
なお、前述した参考形態の場合と異なり、この検査端子ＣＨは、定電圧回路３について１つ設ければ足りる。
【００３５】
（変形形態１）
ついで、上述した実施形態の第１の変形形態について、図３を参照して説明する。なお、実施形態と同内容の部分については、同じ番号を付し、説明を省略あるいは簡略化する。
【００３６】
図２と対比すると容易に理解できるように、実施形態では、入力電圧制限回路９のうち、定電圧回路３内に被調整電源３１を備え、これを用いて定電圧Ｖｃを得た。
これに対し、本変形形態１は、電子回路１１０（回路基板１０１）の外に、外部定電圧Ｖｅを生成する外部定電圧源ＣＶを設け、入力電圧制限回路１９０のうち、定電圧回路１３０で、この外部定電圧Ｖｅを用いて定電圧Ｖｃを得る。具体的には、定電圧端子ＶＩＮを通じて、外部定電圧Ｖｅを被調整電源ライン１３１に入力し、この外部定電圧Ｖｅを、第１分割抵抗１３２と第２分割抵抗１３３とで、適宜の大きさに抵抗分割して、定電圧Ｖｃを得る。
なお、マイクロコンピュータ２の駆動については、別途、駆動電圧Ｖｄによって駆動する。
【００３７】
本変形形態１においても、外部定電圧Ｖｅの大きさを考慮して、定電圧回路１３０で生成するノード電圧Ｖｃを、Ｖｃ＜Ｖｍａｘ−Ｖｆ（＝Ｖｍａｘ−Ｖｄ）に設定する。このように設定することで、回路入力端ＩＴ１に大きな電圧が印加される等しても、入力端子ＩＮＡの入力電圧Ｖｉ１を、最大でも、最大入力電圧Ｖｍａｘ（＝Ｖｄ）より小さくできる。従って、入力端子ＩＮＡに過大な電圧が加わることによって、マイクロコンピュータ２が故障するなどの不具合を防止することができる。
その他、実施形態と同様の構成により、同様の作用、効果を得ることができる。
【００３８】
（変形形態２）
ついで、図４（ａ）を参照して、前述した実施形態１の第２の変形形態について説明する。
前述した実施形態（図１参照）では、定電圧回路３において、第１分割抵抗３２と第２分割抵抗３３との抵抗分割によって、定電圧Ｖｃを得ている。変形形態１の定電圧回路１３０についても同様である。
【００３９】
これに対し、本変形形態２では、この定電圧回路３，１３０に代えて、図４（ａ）に示す定電圧回路２３０を用いる。この定電圧回路２３０は、駆動電圧Ｖｄ（あるいは外部定電圧Ｖｅ）とされた被調整電源ライン２３１から、ツェナーダイオード２３３を用いて、定電圧Ｖｃを得る。具体的には、一端を被調整電源ライン２３１に接続した抵抗２３２と、アノードをグランドに接続したツェナーダイオード２３３とを直列に接続し、カソード２３３ｃの電位を定電圧Ｖｃとする。
【００４０】
このようにすることでも、定電圧ノード５を定電圧Ｖｃとすることができる。しかも、ツェナーダイオード２３３を用いるので、定電圧Ｖｃの安定度を高くできる利点もある。
【００４１】
（変形形態３）
ついで、図４（ｂ）を参照して、前述した実施形態１の第３の変形形態について説明する。
本変形形態３では、この定電圧回路３，１３０に代えて、図４（ｂ）に示す定電圧回路３３０を用いる。この定電圧回路３３０は、駆動電圧Ｖｄ（あるいは外部定電圧Ｖｅ）とされた被調整電源ライン３３１から、ツェナーダイオード３３３とトランジスタ３３４を用いて、定電圧Ｖｃを得る。具体的には、一端を被調整電源ライン３３１に接続した抵抗３３２と、アノードをグランドに接続したツェナーダイオード３３３とを直列に接続する。さらに、ＮＰＮトランジスタ３３４のベースＢをカソード３３３ｃに、コレクタＣを被調整電源ライン３３１に接続する。これにより、ＮＰＮトランジスタ３３４のエミッタＥから、定電圧Ｖｃを得ることができる。
【００４２】
このようにすることでも、定電圧ノード５を定電圧Ｖｃとすることができる。しかも、ツェナーダイオード２３３のほかにトランジスタ３３４を用いるので、各ダイオード６Ａ等を通じて大きな電流が流れた場合でも、定電圧Ｖｃの大きさを安定して維持できる利点もある。
【００４３】
以上において、本発明を実施形態および変形形態１〜３に即して説明したが、本発明は、実施形態等に限定されるものではなく、その要旨を逸脱しない範囲で、適宜変更して適用できることはいうまでもない。
例えば、実施形態等では、入力端子を有する電子部品として、１つのマイクロコンピュータ２が、回路基板１等に搭載されているものを示した。しかし、複数のマイクロコンピュータなど、入力端子を有する電子部品を複数搭載したものに、適用することもできる。
【図面の簡単な説明】
【００４４】
【図１】本発明の原理を説明する回路図である。
【図２】実施形態に係る入力回路付き電子部品回路を示す回路図である。
【図３】変形形態１に係る入力回路付き電子部品回路を示す回路図である。
【図４】変形形態２，３に係る他の定電圧回路例を示す回路図である。
【図５】参考形態に係る入力回路付き電子部品回路を示す回路図である。
【符号の説明】
【００４５】
１，１０１  回路基板
ＩＴ１，ＩＴ２，ＩＴ３  回路入力端
ＣＨ  検査端子
２  マイクロコンピュータ（電子部品）
ＩＮＡ，ＩＮＢ，ＩＮＣ  （マイクロコンピュータの）入力端子（部品入力端子）
３，１３０，２３０，３３０  定電圧回路
３１  被調整電源
１３１，２３１，３３１  被調整電源ライン
３２，１３２  第１分割抵抗
３３，１３３  第２分割抵抗
２３２，３３２  抵抗
２３３，３３３  ツェナーダイオード
２３３ｃ，３３３ｃ  （ツェナーダイオードの）カソード
３３４  ＰＮＰトランジスタ
４Ａ，４Ｂ，４Ｃ  入力回路
Ｖｉ１，Ｖｉ２，Ｖｉ３  （入力端子に入力される）入力電圧
５  定電圧ノード
６Ａ，６Ｂ，６Ｃ  ダイオード
６Ａａ，６Ｂａ，６Ｃａ  （ダイオードの）アノード
６Ａｃ，６Ｂｃ，６Ｃｃ  （ダイオードの）カソード
Ｖｆ  （ダイオードの）順方向電圧降下
７  プルアップ電源回路
７１  バッテリ電源ライン（プルアップ電源ライン）
７２  プルアップ抵抗
ＶＢ  バッテリ電圧（プルアップ電圧）
８  ノイズフィルタ
８１  抵抗
８２  コンデンサ
９，１９０  入力電圧制限回路
１０，１１０  電子回路（入力回路付き電子部品回路）
Ｖｃ  ノード電圧（定電圧）
Ｖｄ  駆動電圧
ＣＶ  外部定電圧源
Ｖｅ  外部定電圧
ＧＮＤ  グランド
【図１】
2009117946.tif 000003
【図２】
2009117946.tif 000004
【図３】
2009117946.tif 000005
【図４】
2009117946.tif 000006
【図５】
2009117946.tif 000007